(57)【要約】【課題】必要な長さの芝茎を土を付けずに芝生から直接取る方法が無かった、土付き芝の切取りは鋭利な刃で土切りをするので刃の交換が頻繁である、土付き芝の重量の軽減、輸送費の削減、芝切取り、芝植え付け作業の簡略化等である。【解決手段】土を付けないで芝茎を削り取る方法であるため、その重量は非常に軽くなる、夏は乾燥を軽減させるため土付き芝を取る、鋭利な刃を付けないから刃かげ、はどまりがない、それによって輸送費は削減される、従来やつてきた重労働の芝切取り作業は無くなる、新しく芝地を作るに従来の芝束をさげる事も無くなり作業の軽減にも役立つ。【選択図】図１
2005278623.tif 000002
【特許請求の範囲】
【請求項１】
芝生の上層部に張り合った芝茎を矩形削板（１）縦切板（２）を取り付け回転させ必要な長さの芝茎を削り取る芝の収穫方法。
【請求項２】
芝生の上層部に張り合った芝茎を略矩形状に削り取る請求項１記載の芝の収穫方法
【請求項３】
矩形状形削板（１）によって芝生の上層部芝茎を削り取る請求項１記載の芝茎を削り取る芝の収穫方法。
【請求項４】
矩形削板（１）に縦切刃（２）パイプリング（３）を取り付け必要な長さの芝茎にする請求項３記載の芝茎を削り取る芝の収穫方法。
【請求項５】
略矩形状の芝茎に土を付けないで収穫する請求項４記載の芝を収穫する方法。
【請求項６】
略矩形状の芝茎の根に土が付く深さまで下げ縦切刃（２）の数を増やし芝茎に根と土を付けた略矩形状の芝を収穫する請求項４記載の芝の収穫方法。
【発明の詳細な説明】
【技術分野】
【０００１】  本発明は、芝生の上層部芝茎を略矩形状にして土を付けないで収穫する方法、芝茎を略矩形状にして根と土を付ける事に関する。
【背景技術】
【０００２】  芝刈機は回転刃と固定刃を取り付ける事できれいな刈跡になる、芝刈機は高さ調節が重要で芝茎の直上で刈ると芝生がダメージをうけ枯れる、回転刃は高速回転である、１枚刃の芝刈機、草刈機は回転刃と固定刃を持つ、芝、草刈機よりも高速回転でないと葉は切れない１枚刃の、芝、草刈機の刈跡はあまり綺麗とわ言えない、芝刈機、草刈機の高さを下げて芝茎を切ると芝茎は粉々になり、きづつき、これを持つて増殖用の芝茎にするのわ問題であり芽がでない。【０００３】従来の芝は板状及びロール巻きに切取り裏に土を付けて切取つている、此を芝茎にするには手ほぐし又は、ほぐし機にかけていた。
【特許文献１】特開Ｈ０９−１５４３０４
【特許文献２】特開Ｈ０７−９５８０９
【発明の開示】
【発明が解決しようとする課題】
【０００３】  解決しようとする問題点は切刃を地中で土切りさせるため地中にある石に当たる事もあり刃こぼれ刃止まりがあり刃換え刃研ぎが頻繁である。【０００４】  従来芝の収穫は芝生に横切りをし縦に長さ３７センチ５０センチの切刃を地下１０−１５ミリで加速させて剥離し１平方メイトルを９枚に重ね長いものわロールに巻き結束している、土付きである為１束が１０キログラム−１５キログラムもあり、それを大量に集収運送するのわコスト、人為でも大変で問題である。【０００５】  略矩形状の土をつけない芝茎を作るには縦横同時に切る必要がある、土付きの略矩形状の芝茎を作る同様である、芝茎の長さは節桿３−４節が必要で品種によって長さが違う。
【課題を解決するための手段】
【０００５】上記目的を達成するために、本発明の芝茎を取る方法は回転軸から伸びた腕桿に矩形削板を固着させ、それをはさむ様に間隔調節できる縦切板を於き品種の違いによる節関の長さによってはパイプリングで間隔を調節し縦切板を装着する【０００６】  前支えローラ後支え輪を矩形削板が土際にくる様に上下調節する前支２本ローラは急激な凸凹を平均化させ矩形削板の急激な上下動を緩和する。【０００７】矩形削板、縦切板共鋭利な刃は付けないから刃こぼれ刃どまりはなくなる、これを回転させ、土のつかない略矩形状芝は軽く芝茎を矩形削板によって削り跳ねあげる、回転方向はどちらでもよいが進行方向に向かって回転させると芝茎の長さが均一化する。【０００８】略矩形状芝は芝茎に根と土を付ける事で出来る、まず前支えローラを上方向あげ矩形削板を土の堅さ芝生の密度、水分、根の張りぐあいを考慮し地中に１０ミリに下げる地面には多少の凸凹があり数ミリの誤差はある、縦切板の間隔をパイプリングの長さの大小で調節し、進行速度、矩形削板の回転は比例する、これを進行させて略矩形状芝を跳ね上げて芝貯めにいれる。【０００９】上記のように構成された芝茎を取る方法でわ矩形削板、縦切板を一体化させ矩形削板は土表面の芝茎を切断、縦切板は芝茎を筋状に切るこれを遠心力で後方に跳ね上げて貯める。
【発明の効果】  本発明は、以上説明したように構成されているので、以下記載されるような効果がある。【００１０】  芝茎を削り取る事で土付き芝の同量での芝茎の重量が激減し０．５％ぐらいまで落ち軽くなり運送費も激減し１０トン分が軽トラックでも積め自動車の排ガスの削減にもなる。【００１１】  従来鋭利な刃での切り取りで刃こぼれ刃どまりがあり交換も頻繁だったが矩形削板には鋭利な刃は無いから刃こぼれ刃どまりが無いので刃のひんぱんな交換がなくなった。【００１２】  芝圃場内での集荷がかくなる。【００１３】  芝茎を使った芝緑地の造成は土付き芝の量に比べて１／１０の量でよいので費用も激減する。【００１４】  芝栽培圃場では芝を深く切らないから次の芽立ちが非常によく、すさまじい勢いで増殖する、今まで年１回の収穫だつたのが年２回の収穫が可能となつた。
【発明を実施するための最良の形態】
【００１５】  腕桿に矩形削板を固着させ矩形削板に縦切板を取り付け回転させ芝茎を跳ね上げて貯めに入れる。
【実施例１】
【００１６】  図１芝茎削り部のカバー１センターシャフト２矩形削板を固着する腕桿３矩形削板４縦切板５芝茎取り出し蓋の諜番１１前支２本ローラ１２後支え輪１３地面芝１４削り取られた芝茎１５芝茎取り出し蓋１６芝茎取り出し蓋の取手１７前支２本ローラの上下調節ネジ１８地面２０。【００１４】図２において芝茎削り部のカバー１センターシャフト２矩形削板を固着する腕桿３矩形削板４縦切板５縦切板の調節パイプリング６側面カバ支柱７軸受け８芝茎削り部全体を上下させる支桿９支桿の止めピン１０。【００１４】  図３は部分拡大図で矩形削板を固着する腕桿３矩形削板４縦切板５【００１５】  図４は部分図で矩形削板４縦切板５調節パイプリング６縦切板の数を多く取り付けた、縦切板の止めネジ１９。
【産業上の利用可能性】
【００１６】  略矩形状芝を土なし芝、土つき芝両方作る事で夏は乾燥を軽減させるため土付き芝を、年間とうしての受給体制がとれる。
【図面の簡単な説明】
【図１】  芝茎削り取り機の側面図
【図２】  芝茎削り取り機の部分正面図
【図３】  芝茎削り取り機の部分拡大図
【図４】  芝茎削り取り機の縦板切りの正面図
【符号の説明】
１    芝茎削り取り機のカバー
２    センターシャフト
３    腕桿
４    矩形削板
５    縦切板
６    パイプリング
７    側面カバー支柱
８    軸受け
９    芝茎削り取り機を上下させる支桿
１０  芝茎削り取り機を上下させる支桿の止めピン
１１  芝茎取出し蓋の諜番
１２  前支２本ローラ
１３  後支輪
１４  芝
１５  芝茎
１６  芝茎取り出し蓋
１７  芝茎取り出し蓋の取手
１８  前支２本ローラの上下調節ネジ
１９  縦切板の取り付けネジ
２０  地面
【図１】
2005278623.tif 000003
【図２】
2005278623.tif 000004
【図３】
2005278623.tif 000005
【図４】
2005278623.tif 000006